(57)【特許請求の範囲】
【請求項１】
内線回線を介して接続した複数の内線電話端末を電話網または携帯網に対して交換接続することにより、当該電話網または携帯網を介した前記内線電話端末による通話を実現する電話制御装置であって、
無線電話端末から前記携帯網を介したデータ通信により通知された画面要求に応じて、当該画面要求と対応するＷｅｂ画面を配信する配信部と、
前記無線電話端末で画面表示された前記Ｗｅｂ画面での発信操作に基づいて当該無線電話端末から前記データ通信により通知された発信通知から、発信先情報を取得する発信通知確認部と、
前記発信操作に応じた当該無線電話端末での電話発信に基づいて前記携帯網から通知された端末着信により、当該無線電話端末からの通話路接続要求を確認する接続要求確認部と、
前記発信通知確認部による前記発信先情報の取得、および前記接続要求確認部による前記通話路接続要求の確認の後、前記発信先情報と対応する相手電話端末に対して前記電話網または前記携帯網から電話発信を行い、当該電話発信により形成される前記相手電話端末との相手通話路と前記端末着信への応答により形成される端末通話路とを中継接続する呼制御部と、
前記無線電話端末ごとに、当該無線電話端末の端末識別情報および携帯電話番号が登録された無線端末情報を記憶する記憶部とを備え、
前記呼制御部は、前記中継接続を行う際、前記発信通知確認部による前記発信先情報の取得と、前記接続要求確認部による前記通話路接続要求の確認とが一定時間内に行われた場合であって、かつ、前記無線端末情報に基づいて、前記発信通知に含まれる端末識別情報と前記端末着信時に前記携帯網から通知された発信元電話番号とが同一の無線電話端末のものであることが確認された場合に、前記相手電話端末に対する前記電話発信を行う
ことを特徴とする電話制御装置。
【請求項２】
請求項１に記載の電話制御装置において、
前記発信通知確認部は、前記発信先情報を取得する際、前記発信通知に代えて、前記無線電話端末での前記電話発信時に、前記無線電話端末から前記携帯網へ送信された発信要求メッセージにパラメータとして付加された前記発信先情報を、前記端末着信時に前記携帯網から通知された着信通知メッセージから取得することを特徴とする電話制御装置。
【請求項３】
請求項１に記載の電話制御装置において、
前記呼制御部は、前記端末着信に応答して前記無線電話端末との間の端末通話路を形成し、
前記発信通知確認部は、前記発信先情報を取得する際、前記発信通知に代えて、前記端末通話路を介して前記無線電話端末から受信したＤＴＭＦ信号から前記発信先情報を取得する
ことを特徴とする電話制御装置。
【請求項４】
請求項１〜請求項３のいずれか１つの電話制御装置と、内線回線を介して前記電話制御装置に接続された複数の内線電話端末とを含むことを特徴とする電話システム。
【請求項５】
内線回線を介して接続した複数の内線電話端末を電話網または携帯網に対して交換接続することにより、当該電話網または携帯網を介した前記内線電話端末による通話を実現する電話制御装置で用いられる発信制御方法であって、
無線電話端末から前記携帯網を介したデータ通信により通知された画面要求に応じて、当該画面要求と対応するＷｅｂ画面を配信する配信ステップと、
前記無線電話端末で画面表示された前記Ｗｅｂ画面での発信操作に基づいて当該無線電話端末から前記データ通信により通知された発信通知から、発信先情報を取得する発信通知確認ステップと、
前記発信操作に応じた当該無線電話端末での電話発信に基づいて前記携帯網から通知された端末着信により、当該無線電話端末からの通話路接続要求を確認する接続要求確認ステップと、
前記発信通知確認ステップによる前記発信先情報の取得、および前記接続要求確認ステップによる前記通話路接続要求の確認の後、前記発信先情報と対応する相手電話端末に対して前記電話網または前記携帯網から電話発信を行い、当該電話発信により形成される前記相手電話端末との相手通話路と前記端末着信への応答により形成される端末通話路とを中継接続する呼制御ステップと、
前記無線電話端末ごとに、当該無線電話端末の端末識別情報および携帯電話番号が登録された無線端末情報を記憶部で記憶する記憶ステップとを備え、
前記呼制御ステップは、前記中継接続を行う際、前記発信通知確認ステップによる前記発信先情報の取得と、前記接続要求確認ステップによる前記通話路接続要求の確認とが一定時間内に行われた場合であって、かつ、前記無線端末情報に基づいて、前記発信通知に含まれる端末識別情報と前記端末着信時に前記携帯網から通知された発信元電話番号とが同一の無線電話端末のものであることが確認された場合に、前記相手電話端末に対する前記電話発信を行う
ことを特徴とする発信制御方法。
【発明の詳細な説明】
【技術分野】
【０００１】
本発明は、電話システムに関し、特に携帯網を介して電話システムと接続した無線電話端末に対して、内線電話端末と同様の電話サービスを提供するための電話制御技術に関する。
【背景技術】
【０００２】
複数の内線電話端末を電話網に対して交換接続するボタン電話装置やＰＢＸなどの電話制御装置を備える電話システムは、電話制御装置と内線回線を介して接続された各内線電話端末に対して、電話網からの外線回線を共用した外線発信、外線着信、外線通話、および外線保留、内線回線を用いた内線電話端末間での内線通話、電話網を用いた任意の内線電話端末での外線通話を他の内線電話端末へ転送する内線転送、電話帳機能などの各種付加機能の利用など、各種の電話サービスを提供する機能を有している。
【０００３】
従来、このような電話システムにおいて、無線通信を介して携帯電話端末などの無線電話端末と接続し、この無線電話端末に対して電話制御装置から内線電話端末と同様の電話サービスを提供する技術が提案されている（例えば、特許文献１など参照）。
この技術は、電話制御装置と内線回線を介して接続されている内線電話端末に無線通信機能を設けて、この無線通信機能により無線電話端末と接続するようにしたものである。
【０００４】
これにより、電話制御装置と無線電話端末との間で制御メッセージや音声データをやり取りでき、内線電話端末と同様に、各種の電話サービスを無線電話端末に提供することが可能となる。
したがって、電話システムからの内線回線が届いていない場所でも、さらには内線回線を介して電話制御装置と接続することなく、無線電話端末から電話システムの電話サービスを利用できる。また、無線電話端末による外線通話料金の個別負担を解消することができる。
【先行技術文献】
【特許文献】
【０００５】
【特許文献１】特開２００５−２９４９６９号公報
【発明の概要】
【発明が解決しようとする課題】
【０００６】
このような従来技術では、携帯網を介して電話制御装置に接続される無線電話端末に対する電話サービスとして、電話制御装置に接続されている電話網や携帯網を用いて相手電話端末へ電話発信して音声通話するための電話発信サービスを提供する場合、電話制御装置と無線電話端末との間の無線データ通信で音声通話のための音声データをやり取りすることになる。
【０００７】
通常、音声通話を行う場合、大容量の音声データをリアルタイムでやり取りする必要がある。このため、例えば無線ＬＡＮなどの比較的通信帯域の大きい無線回線を介して、電話制御装置と無線電話端末との間でＶｏＩＰなどのＩＰ通信を行う方法が考えられる。また、無線電話端末からプロバイダの無線ＬＡＮアクセスポイントに接続して、インターネット経由で電話制御装置とＩＰ通信を行う方法も考えられる。
【０００８】
しかしながら、このような無線データ通信は、通信帯域や遅延特性が保証されていないベストエフォート型通信であり、送信電力も小さいことから、利用可能な通信帯域が変動しやすい。このため、電話制御装置から無線電話端末に対して、安定した通話品質で電話サービスを提供することができないという問題点があった。
【０００９】
本発明はこのような課題を解決するためのものであり、電話制御装置から無線電話端末に対して、安定した通話品質で電話サービスを提供できる電話制御技術を提供することを目的としている。
【課題を解決するための手段】
【００１０】
このような目的を達成するために、本発明にかかる電話制御装置は、内線回線を介して接続した複数の内線電話端末を電話網または携帯網に対して交換接続することにより、当該電話網または携帯網を介した内線電話端末による通話を実現する電話制御装置であって、無線電話端末から携帯網を介したデータ通信により通知された画面要求に応じて、当該画面要求と対応するＷｅｂ画面を配信する配信部と、無線電話端末で画面表示されたＷｅｂ画面での発信操作に基づいて当該無線電話端末からデータ通信により通知された発信通知から、発信先情報を取得する発信通知確認部と、発信操作に応じた当該無線電話端末での電話発信に基づいて携帯網から通知された端末着信により、当該無線電話端末からの通話路接続要求を確認する接続要求確認部と、発信通知確認部による発信先情報の取得、および接続要求確認部による通話路接続要求の確認の後、発信先情報と対応する相手電話端末に対して電話網または携帯網から電話発信を行い、当該電話発信により形成される相手電話端末との相手通話路と端末着信への応答により形成される端末通話路とを中継接続する呼制御部とを備えている。
【００１１】
これに加えて本発明は、無線電話端末ごとに、当該無線電話端末の端末識別情報および携帯電話番号が登録された無線端末情報を記憶する記憶部をさらに備え、呼制御部は、中継接続を行う際、発信通知確認部による発信先情報の取得と、接続要求確認部による通話路接続要求の確認とが一定時間内に行われた場合であって、かつ、無線端末情報に基づいて、発信通知に含まれる端末識別情報と端末着信時に携帯網から通知された発信元電話番号とが同一の無線電話端末のものであることが確認された場合に、相手電話端末に対する電話発信を行うようにしたものである。
【００１２】
また、発信通知確認部で、発信先情報を取得する際、発信通知に代えて、無線電話端末での電話発信時に、無線電話端末から携帯網へ送信された発信要求メッセージにパラメータとして付加された発信先情報を、端末着信時に携帯網から通知された着信通知メッセージから取得するようにしてもよい。
【００１３】
また、呼制御部で、端末着信に応答して無線電話端末との間の端末通話路を形成し、発信通知確認部で、発信先情報を取得する際、発信通知に代えて、端末通話路を介して無線電話端末から受信したＤＴＭＦ信号から発信先情報を取得するようにしてもよい。
【００１５】
また、本発明にかかる電話システムは、前述したいずれか１つの電話制御装置と、内線回線を介して前記電話制御装置に接続された複数の内線電話端末とを含む。
【００１６】
また、本発明にかかる発信制御方法は、内線回線を介して接続した複数の内線電話端末を電話網または携帯網に対して交換接続することにより、当該電話網または携帯網を介した内線電話端末による通話を実現する電話制御装置で用いられる発信制御方法であって、無線電話端末から携帯網を介したデータ通信により通知された画面要求に応じて、当該画面要求と対応するＷｅｂ画面を配信する配信ステップと、無線電話端末で画面表示されたＷｅｂ画面での発信操作に基づいて当該無線電話端末からデータ通信により通知された発信通知から、発信先情報を取得する発信通知確認ステップと、発信操作に応じた当該無線電話端末での電話発信に基づいて携帯網から通知された端末着信により、当該無線電話端末からの通話路接続要求を確認する接続要求確認ステップと、発信通知確認ステップによる発信先情報の取得、および接続要求確認ステップによる通話路接続要求の確認の後、発信先情報と対応する相手電話端末に対して電話網または携帯網から電話発信を行い、当該電話発信により形成される相手電話端末との相手通話路と端末着信への応答により形成される端末通話路とを中継接続する呼制御ステップと、無線電話端末ごとに、当該無線電話端末の端末識別情報および携帯電話番号が登録された無線端末情報を記憶部で記憶する記憶ステップとを備え、呼制御ステップは、中継接続を行う際、発信通知確認ステップによる発信先情報の取得と、接続要求確認ステップによる通話路接続要求の確認とが一定時間内に行われた場合であって、かつ、無線端末情報に基づいて、発信通知に含まれる端末識別情報と端末着信時に携帯網から通知された発信元電話番号とが同一の無線電話端末のものであることが確認された場合に、相手電話端末に対する電話発信を行うようにしたものである。
【発明の効果】
【００１７】
本発明によれば、電話制御装置に接続されている電話網や携帯網を用いて相手電話端末へ電話発信して音声通話するための電話発信サービスを提供する場合、無線電話端末と相手電話端末との音声通話路のうち、無線電話端末と電話制御装置との間の端末通話路については、携帯網を用いた通話路で形成される。したがって、ベストエフォート型であるＩＰ通信を用いて端末通話路を形成した場合と比較して、安定した通話品質を得ることができる。このため、電話システムから無線電話端末に対して、安定した通話品質で電話サービスを提供することが可能となる。
【図面の簡単な説明】
【００１８】
【図１】第１の実施の形態にかかる電話システムの構成を示すブロック図である。
【図２】操作メニュー画面の構成例である。
【図３】発信画面の構成例である。
【図４】無線端末情報の構成例である。
【図５】第１の実施の形態にかかる電話制御装置の発信処理動作を示すシーケンス図である。
【図６】第２の実施の形態にかかる電話制御装置の発信処理動作を示すシーケンス図である。
【図７】第３の実施の形態にかかる電話制御装置の発信処理動作を示すシーケンス図である。
【図８】第４の実施の形態にかかる電話制御装置の発信処理動作を示すシーケンス図である。
【図９】発信中画面の構成例である。
【図１０】無線電話端末の発信処理動作を示すシーケンス図である。
【発明を実施するための形態】
【００１９】
次に、本発明の実施の形態について図面を参照して説明する。
［第１の実施の形態］
まず、図１を参照して、本発明の第１の実施の形態にかかる電話システムについて説明する。図１は、第１の実施の形態にかかる電話システムの構成を示すブロック図である。
【００２０】
この電話システム１は、ボタン電話システムやＰＢＸシステムなどの電話システムからなり、内線回線Ｌ０を介して接続した複数の内線電話端末１９と、これら内線電話端末１９を、電話回線Ｌ１や無線回線Ｌ２などの外線回線を介して、電話網４０や携帯網５０に交換接続することにより、電話網４０や携帯網５０を介した内線電話端末１９による通話を実現する電話制御装置１０とから構成されている。電話システム１は、携帯網５０を介して接続した無線電話端末２０に対して、内線電話端末１９と同様の電話サービスを提供する機能を有している。
【００２１】
無線電話端末２０は、スマートフォン、携帯電話端末、携帯情報端末（ＰＤＡ）など、携帯網５０を介して音声通話やデータ通信が可能な無線通信端末である。
相手電話端末３０は、電話網４０または携帯網５０、あるいはこれら両方に接続されて、電話制御装置１０との間で音声通話を行う電話装置である。
電話網４０は、公衆電話網（ＰＳＴＮ）、ＩＳＤＮ網、さらにはＩＰ電話網など、有線通信により音声通話やデータ通信が可能な通信網である。携帯網５０は、第３世代移動通信システム（３Ｇ：3rd Generation）に代表されるような、無線通信により音声通話やデータ通信が可能な通信網である。
【００２２】
本実施の形態は、電話制御装置１０で、無線電話端末２０から携帯網５０を介したデータ通信により通知された画面要求に応じて、当該画面要求と対応するＷｅｂ画面を配信し、無線電話端末２０で画面表示されたＷｅｂ画面での発信操作に基づいて当該無線電話端末２０からデータ通信により通知された発信通知から、発信先情報を取得し、当該発信操作に応じた無線電話端末２０での電話発信に基づいて携帯網５０から通知された端末着信により、無線電話端末２０からの通話路接続要求を確認し、これら発信先情報の取得および通話路接続要求の確認の後、相手電話端末３０との相手通話路と無線電話端末２０と端末通話路とを中継接続するようにしたものである。
【００２３】
［電話制御装置］
次に、図１を参照して、本実施の形態にかかる電話システム１の電話制御装置１０について説明する。
電話制御装置１０は、ボタン電話システムの主装置、ＰＢＸ、さらにはＩＰ電話サーバなどの電話制御装置からなり、内線回線Ｌ０を介して接続した複数の内線電話端末１９を電話網４０や携帯網５０に対して交換接続することにより、電話網４０や携帯網５０を介した内線電話端末１９による通話を実現する機能と、内線電話端末１９に対して各種の電話サービスを提供する機能と、携帯網５０を介して接続した無線電話端末２０に対して、内線電話端末１９と同様の電話サービスを提供する機能とを有している。
【００２４】
電話制御装置１０には、主な機能部として、網インターフェース部（以下、網Ｉ／Ｆ部という）１１、内線インターフェース部（以下、内線Ｉ／Ｆ部という）１２、スイッチ部１３、配信部１４、発信通知確認部１５、接続要求確認部１６、呼制御部１７、および記憶部１８が設けられている。
【００２５】
網Ｉ／Ｆ部１１は、専用の通信回路を有し、電話網４０からの電話回線Ｌ１を介して、電話網４０や相手電話端末３０との間で、各種呼制御メッセージや音声通話のための音声信号または音声データをやり取りする機能と、携帯網５０からの無線回線Ｌ２を介して、携帯網５０や無線電話端末２０との間で、各種呼制御メッセージや音声通話のための音声データをやり取りする機能と、無線回線Ｌ２および携帯網５０を介して無線電話端末２０との間でデータ通信を行う機能とを有している。
【００２６】
内線Ｉ／Ｆ部１２は、専用の通信回路を有し、ＬＡＮや内線伝送路などの内線回線Ｌ０を介して内線電話端末１９との間で、各種制御コマンドや音声通話のための音声データをやり取りする機能を有している。
【００２７】
スイッチ部１３は、専用のスイッチ回路からなり、呼制御部１７からの指示に応じて、網Ｉ／Ｆ部１１と内線Ｉ／Ｆ部１２との間でやり取りする音声データを交換接続する機能を有している。
【００２８】
配信部１４は、無線電話端末２０から携帯網５０を介したＨＴＴＰなどのデータ通信により通知された画面要求に応じて、当該画面要求と対応するＨＴＭＬ形式のＷｅｂ画面を記憶部１８から読み出して配信する機能と、無線電話端末２０から携帯網５０を介したデータ通信により通知されたメニュー画面要求に応じて、当該画面要求と対応するメニュー画面を記憶部１８から読み出して配信する機能と、無線電話端末２０から携帯網５０を介したデータ通信により通知された発信画面要求に応じて、当該画面要求と対応する発信画面を記憶部１８から読み出して配信する機能とを有している。
【００２９】
図２は、操作メニュー画面の構成例である。ここでは、無線電話端末２０が利用可能な電話サービスごとに、当該電話サービスを実行するためのメニューボタンのシンボルが配置されている。
【００３０】
図３は、発信画面の構成例であり、図３（ａ）はダイヤル発信画面例、（ｂ）は電話帳画面例である。図３（ａ）のダイヤル発信画面では、電話発信時に電話番号を操作入力するためのダイヤルボタンのシンボルや、発信操作を入力するための発信ボタンのシンボルが配置されている。図３（ｂ）の電話帳画面では、記憶部１８に予め登録されている電話帳データから相手先の名前が読み出され、これら名前が表示された発信ボタンのシンボルがリスト状に配置されている。
【００３１】
発信通知確認部１５は、無線電話端末２０で画面表示されたＷｅｂ画面での発信操作に基づいて当該無線電話端末２０から携帯網５０を介したデータ通信により通知された発信通知から、当該発信操作に応じて発信すべき発信先を指示する発信先情報を取得する機能を有している。この際に用いるデータ通信としては、例えばＨＴＴＰのＧＥＴメソッドやＰＯＳＴメソッドなどを用いればよい。
【００３２】
接続要求確認部１６は、無線電話端末２０で画面表示されたＷｅｂ画面での発信操作に応じて当該無線電話端末２０で行われた、携帯網５０での電話発信に基づいて、携帯網５０から電話制御装置１０へ通知された端末着信により、無線電話端末２０からの通話路接続要求があったことを確認する機能を有している。
【００３３】
呼制御部１７は、網Ｉ／Ｆ部１１を介して電話網４０や携帯網５０との間で各種呼制御メッセージをやり取りすることにより、電話回線Ｌ１や無線回線Ｌ２を用いた発信、着信、音声通話などの呼制御を行う機能と、内線Ｉ／Ｆ部１２を介して内線電話端末１９との間で各種制御コマンドをやり取りすることにより、内線電話端末１９での発信、着信、音声通話などの動作を制御する機能と、スイッチ部１３を制御することにより、網Ｉ／Ｆ部１１で接続している音声通話路と内線Ｉ／Ｆ部１２で接続している音声通話路とを交換接続する機能とを有している。
【００３４】
また、呼制御部１７は、発信通知確認部１５による発信先情報の取得、および接続要求確認部１６による通話路接続要求の確認の後、相手電話端末３０への電話発信により形成される相手通話路と、無線電話端末２０からの端末着信への応答により形成される端末通話路とを中継接続する機能と、この中継接続を行う際、発信通知確認部１５による発信先情報の取得と、接続要求確認部１６による通話路接続要求の確認とが一定時間内に行われた場合であって、かつ、記憶部１８の無線端末情報に基づいて、発信通知に含まれる端末識別情報と端末着信時に携帯網から通知された発信元電話番号とが同一の無線電話端末２０のものであることが確認された場合に、相手通話路を形成するための相手電話端末３０への電話発信を行う機能とを有している。
【００３５】
記憶部１８は、ハードディスクや半導体メモリなどの記憶装置からなり、各機能部での処理動作に用いる各種処理情報やＣＰＵで実行するプログラムを記憶する機能を有している。主な処理情報として、無線端末情報がある。図４は、無線端末情報の構成例である。ここでは、電話システム１に接続許可されている無線電話端末ごとに、当該無線電話端末の端末ＩＤ（端末識別情報）および携帯電話番号が登録されている。
これら機能部のうち、配信部１４、発信通知確認部１５、接続要求確認部１６、および呼制御部１７は、ＣＰＵとプログラムとが協働することにより実現される。
【００３６】
［無線電話端末］
次に、図１を参照して、本実施の形態にかかる無線電話端末２０の構成について説明する。
無線電話端末２０は、スマートフォン、携帯電話端末、携帯情報端末（ＰＤＡ）など、携帯網５０を介して音声通話やデータ通信が可能な無線通信端末であり、特に、Ｗｅｂ画面を画面表示し、Ｗｅｂ画面上での操作に応じてデータ通信を行うブラウザ機能を有している。
【００３７】
無線電話端末２０には、主な機能部として、無線インターフェース部（以下、無線Ｉ／Ｆ部という）２１、音声処理部２２、画面表示部２３、操作入力部２４、制御部２５、ブラウザ部２６、および記憶部２７が設けられている。
【００３８】
無線Ｉ／Ｆ部２１は、専用の無線通信回路を有し、携帯網５０からの無線回線Ｌ３を介して、携帯網５０や電話制御装置１０との間で、各種呼制御メッセージや音声通話のための音声データをやり取りする機能と、無線回線Ｌ３および携帯網５０を介して電話制御装置１０との間でデータ通信を行う機能とを有している。
【００３９】
音声処理部２２は、無線Ｉ／Ｆ部２１で受信した音声データを復号して得られた音声信号をスピーカ（図示せず）から出力する機能と、マイク（図示せず）から入力された音声信号を符号化して得られた音声データを無線Ｉ／Ｆ部２１へ出力する機能と、制御部２５からの指示に応じて、着信音やＤＴＭＦ信号などの各種音声信号をスピーカや音声通話路へ出力する機能とを有している。
【００４０】
画面表示部２３は、ＬＣＤなどの画面表示装置からなり、制御部２５からの指示に応じて、電話制御装置１０から配信されたＷｅｂ画面などの各種のデータを画面表示する機能を有している。
操作入力部２４は、画面表示部２３の画面上に配置されたタッチパネルや各種操作キーからなり、利用者の操作を検出する機能を有している。
【００４１】
制御部２５は、無線Ｉ／Ｆ部２１を介して携帯網５０との間で各種呼制御メッセージをやり取りすることにより、各機能部を制御して、無線回線Ｌ３を用いた発信、着信、音声通話などを実現するための呼制御を行う機能を有している。
【００４２】
ブラウザ部２６は、無線Ｉ／Ｆ部２１から携帯網５０を介して電話制御装置１０との間でＨＴＴＰなどのデータ通信を行う機能と、このデータ通信により電話制御装置１０から配信されたＷｅｂ画面を画面表示部２３で画面表示する機能と、操作入力部２４で検出された操作に応じて各種情報をデータ通信により電話制御装置１０へ送信する機能と、操作入力部２４で検出されたメニュー要求操作に応じて携帯網５０を介したＨＴＴＰデータ通信により電話制御装置１０へ、記憶部２７から読み出した自端末の端末ＩＤを含むメニュー画面要求メッセージを送信する機能とを有している。
【００４３】
また、ブラウザ部２６は、操作入力部２４で検出されたメニュー画面上での発信要求操作に応じて携帯網５０を介したＨＴＴＰデータ通信により電話制御装置１０へ、記憶部２７から読み出した自端末の端末ＩＤを含む発信画面要求メッセージを送信する機能と、操作入力部２４で検出された発信画面上での発信操作に応じて携帯網５０を介したＨＴＴＰデータ通信により電話制御装置１０へ、発信画面上で入力された相手電話番号と記憶部２７から読み出した自端末の端末ＩＤとを含むメニュー画面要求メッセージを送信する機能と、操作入力部２４で検出された発信画面上での発信操作に応じて、制御部２５に対して電話制御装置１０への電話発信を要求する機能とを有している。発信通知メッセージに付加する端末ＩＤについては、電話制御装置１０から配信する発信画面に、予め設定しておいてもよい。
【００４４】
記憶部２７は、半導体メモリなどの記憶装置からなり、各機能部での処理動作に用いる各種処理情報やプログラムを記憶する機能を有している。主な処理情報としては、自端末の携帯電話番号のほか、予め登録された端末ＩＤ（端末識別情報）がある。
これら機能部のうち、制御部２５およびブラウザ部２６は、ＣＰＵとプログラムとが協働することにより実現される。
【００４５】
［第１の実施の形態の動作］
次に、図５を参照して、本実施の形態にかかる電話制御装置１０の動作について説明する。図５は、第１の実施の形態にかかる電話制御装置の発信処理動作を示すシーケンス図である。
ここでは、電話システム１が提供する電話サービスのうちの外線発信機能を利用して、無線電話端末２０が電話制御装置１０を介して相手電話端末３０へ発信して音声通話を行う場合を例として説明する。
【００４６】
利用者は、電話システム１が提供する電話サービスを無線電話端末２０で利用する際、無線電話端末２０でメニュー要求操作を行う。
無線電話端末２０の操作入力部２４で、このメニュー要求操作が検出された場合（ステップ１００）、ブラウザ部２６は、無線Ｉ／Ｆ部２１から携帯網５０を介したＨＴＴＰデータ通信により電話制御装置１０へ、記憶部２７から読み出した自端末の端末ＩＤを含むメニュー画面要求メッセージを送信する（ステップ１０１）。
【００４７】
電話制御装置１０の配信部１４は、網Ｉ／Ｆ部１１を介して受信した無線電話端末２０からのメニュー画面要求メッセージに応じて、記憶部１８から対応するメニュー画面を読み出して（ステップ１０２）、網Ｉ／Ｆ部１１から携帯網５０を介したＨＴＴＰデータ通信により、無線電話端末２０へ配信する（ステップ１０３）。
【００４８】
無線電話端末２０のブラウザ部２６は、無線Ｉ／Ｆ部２１を介して受信した電話制御装置１０からのメニュー画面を画面表示部２３で表示する（ステップ１０４）。これにより、利用者は利用したい電話サービスの機能をこのメニュー画面上での操作により選択できる。
ここで、利用者の操作により、ダイヤル発信機能が選択された場合（ステップ１１０）、操作入力部２４によるダイヤル発信選択操作の検出に応じて、ブラウザ部２６は、携帯網５０を介したＨＴＴＰデータ通信により電話制御装置１０へ、記憶部２７から読み出した自端末の端末ＩＤを含むダイヤル発信画面要求メッセージを送信する（ステップ１１１）。
【００４９】
電話制御装置１０の配信部１４は、網Ｉ／Ｆ部１１を介して受信した無線電話端末２０からのダイヤル発信画面要求メッセージに応じて、記憶部１８から対応するダイヤル発信画面を読み出して（ステップ１１２）、網Ｉ／Ｆ部１１から携帯網５０を介したＨＴＴＰデータ通信により、無線電話端末２０へ配信する（ステップ１１３）。
【００５０】
無線電話端末２０のブラウザ部２６は、無線Ｉ／Ｆ部２１を介して受信した電話制御装置１０からのダイヤル発信画面を画面表示部２３で表示する（ステップ１１４）。これにより、利用者は発信したい相手の電話番号をこのダイヤル発信画面上での操作入力し、電話制御装置１０に対して発信要求することができる。
【００５１】
ここで、利用者の操作により、ダイヤル発信画面上で相手電話番号が入力されて発信操作が行われた場合（ステップ１２０）、操作入力部２４による発信操作の検出に応じて、ブラウザ部２６は、携帯網５０を介したＨＴＴＰデータ通信により電話制御装置１０へ、入力された相手先電話番号からなる発信先情報と、記憶部２７から読み出した自端末の端末ＩＤとを含む発信通知メッセージを送信する（ステップ１２１）。
【００５２】
電話制御装置１０の発信通知確認部１５は、網Ｉ／Ｆ部１１を介して受信した無線電話端末２０からの発信通知メッセージに応じて、この発信通知メッセージに含まれる端末ＩＤに基づき発信元となる無線電話端末２０を確認するとともに（ステップ１２２）、当該メッセージに含まれる発信先情報、すなわち発信者電話番号を取得することにより発信先を確認する（ステップ１２３）。
【００５３】
一方、無線電話端末２０のブラウザ部２６は、操作入力部２４による発信操作の検出に応じて、制御部２５へ電話制御装置１０への発信を要求する（ステップ１２４）。この際、電話制御装置１０の配信部１４でダイヤル発信画面を生成するときに、例えばＨＴＭＬのAnchorタグやInputタグなどの機能を用いて、図３に示したダイヤル発信画面の発信ボタンに、予め電話制御装置１０の電話番号を登録しておけば、発信ボタンの操作に応じて自動的に制御部２５へ発信要求が通知される。
【００５４】
これに応じて、制御部２５は、無線Ｉ／Ｆ部２１から携帯網５０へ、電話制御装置１０の電話番号からなる発信先電話番号と自端末の携帯電話番号からなる発信元電話番号とを含む発信要求メッセージを送信する（ステップ１２５）。
携帯網５０は、無線電話端末２０からの発信要求メッセージに応じて、このメッセージで指定された発信先電話番号と対応する電話制御装置１０へ、着信通知メッセージを送信する（ステップ１２６）。
【００５５】
電話制御装置１０の接続要求確認部１６は、携帯網５０からの着信通知メッセージに応じて、このメッセージで指定された発信元電話番号を取得することにより、無線電話端末２０からの通話路接続要求があったことを確認する（ステップ１２７）。この際、電話制御装置１０は、この着信通知メッセージに対して直ちに応答メッセージを送信せず、着信状態を維持する。
【００５６】
電話制御装置１０の呼制御部１７は、このようにして、一定時間内に、発信通知確認部１５により発信先情報を取得するとともに、接続要求確認部１６により無線電話端末２０からの通話路接続要求を確認した場合、網Ｉ／Ｆ部１１から発信先情報と対する相手電話端末３０に対して電話網４０から電話発信を行う（ステップ１３０）。
【００５７】
この際、呼制御部１７は、記憶部１８の無線端末情報に基づいて、ステップ１２２で確認した端末ＩＤと、ステップ１２７で確認した発信元電話番号とが同一の無線電話端末２０のものであることが確認された場合に、相手電話端末３０に対する電話発信を行う。確認できなかった場合には、他の無線電話端末からのものと判定し、相手電話端末３０に対する電話発信は行わない。
【００５８】
このようにして、電話制御装置１０による相手電話端末３０に対する電話発信に応じて、電話網４０から相手電話端末３０へ着信が通知される。この後、相手電話端末３０での応答操作に応じて（ステップ１３１）、電話網４０から電話制御装置１０に対して応答が通知される（ステップ１３２）。
【００５９】
電話制御装置１０の呼制御部１７は、電話網４０からの応答通知に応じて、網Ｉ／Ｆ部１１から携帯網５０へ応答メッセージを送信することにより、携帯網５０を介した無線電話端末２０との端末通話路を形成し、この端末通話路と電話網４０を介した相手電話端末３０との相手通話路とを、スイッチ部１３で中継接続する（ステップ１３３）。
これにより、電話制御装置１０を介して、無線電話端末２０と相手電話端末３０との音声通話が開始される（ステップ１３４）。
【００６０】
［第１の実施の形態の効果］
このように、本実施の形態は、電話制御装置１０において、配信部１４により、無線電話端末２０から携帯網５０を介したデータ通信により通知された画面要求に応じて、当該画面要求と対応するＷｅｂ画面を配信し、発信通知確認部１５により、無線電話端末２０で画面表示されたＷｅｂ画面での発信操作に基づいて当該無線電話端末２０からデータ通信により通知された発信通知から、発信先情報を取得し、接続要求確認部１６により、当該発信操作に応じた無線電話端末２０での電話発信に基づいて携帯網５０から通知された端末着信により、無線電話端末２０からの通話路接続要求を確認するようにしたものである。
【００６１】
この後、呼制御部１７により、これら発信先情報の取得および通話路接続要求の確認の後、発信先情報と対する相手電話端末３０に対して電話網４０または携帯網５０から電話発信を行い、相手電話端末３０への当該電話発信により形成される相手通話路と無線電話端末２０からの着信への応答により形成される端末通話路とを中継接続するようにしたものである。
【００６２】
これにより、電話制御装置１０に接続されている電話網４０や携帯網５０を用いて、無線電話端末２０から指定した相手電話端末３０へ電話発信して音声通話するための電話発信サービスを提供する場合、無線電話端末２０と相手電話端末３０とを接続する音声通話路のうち、無線電話端末２０と電話制御装置１０との間の端末通話路については、携帯網５０を用いた通話路で形成される。したがって、ベストエフォート型であるＩＰ通信を用いて端末通話路を形成した場合と比較して、安定した通話品質を得ることができる。このため、電話システム１から無線電話端末２０に対して、安定した通話品質で電話サービスを提供することが可能となる。
【００６３】
この際、電話制御装置１０では、無線電話端末２０からの要求に応じて、任意の相手電話端末３０へ電話発信する場合、相手電話端末３０の電話番号などの発信先情報が必要となる。このため、電話制御装置１０において相手電話端末３０への電話発信を行う前に、無線電話端末２０から電話制御装置１０へ相手電話端末３０の発信先情報を通知しておく必要がある。
【００６４】
しかしながら、携帯網５０の音声通話サービスを利用して、無線電話端末２０から電話制御装置１０へ電話発信して端末通話路を形成する場合、無線電話端末２０から送出する電話番号はあくまでも電話制御装置１０の電話番号である。このため、端末通話路形成のための電話発信で、本来の発信先である相手電話端末３０の発信先情報が、無線電話端末２０から電話制御装置１０へ通知されないという問題点がある。
【００６５】
これに対して、本実施の形態では、携帯網５０の音声通話サービスとデータ通信サービスとを併用できることに着目し、無線電話端末２０での発信操作に応じて、携帯網５０の音声通話サービスを利用して、電話制御装置１０へ端末通話路形成のための電話発信を行う動作と並行して、携帯網５０のデータ通信サービスを利用して、無線電話端末２０から電話制御装置１０へ、発信すべき相手電話端末３０を識別するための発信先情報として通知するようにしたものである。
【００６６】
これにより、無線電話端末２０での発信操作に応じて、端末通話路の形成と相手電話端末３０の発信先情報の通知とを一括して行うことができる。
したがって、無線電話端末２０の利用者に対して操作負担を与えることなく、無線電話端末２０と電話制御装置１０との間の端末通話路を携帯網５０で容易に形成することができる。このため、結果として、使い勝手が良くなり、電話サービスをスムーズに利用することが可能となる。
【００６７】
また、本実施の形態では、電話制御装置１０において、無線電話端末２０から携帯網５０を介したデータ通信により通知された画面要求に応じて、配信部１４により、当該画面要求と対応するＷｅｂ画面、すなわち発信画面を配信し、無線電話端末２０で画面表示された、この発信画面での発信操作に基づいて、当該無線電話端末２０から携帯網５０を介したデータ通信により通知された発信通知から、発信通知確認部１５より発信先情報を取得するようにしたものである。
【００６８】
これにより、無線電話端末２０は、電話制御装置１０から配信されたＷｅｂ画面を画面表示し、利用者によるＷｅｂ画面上での操作に応じて任意のデータを電話制御装置１０へ送信するという、一般的なブラウザ機能を動作させるだけで、携帯網５０を介して発信通知を電話制御装置１０へ通知することができる。
【００６９】
一般的な電話システムでは、電話制御装置から無線電話端末に対して、内線電話端末と同様の電話サービスを提供する際、無線電話端末との間で制御メッセージをやり取りすることになる。
しかしながら、無線電話端末の動作を制御する際に用いる制御メッセージは、例えば内線電話端末との間でやり取りする制御データと同様に、当該電話システムで定義したものである。これは、当該電話システムが持つ独自の機能を提供するのに必要とされるからである。
【００７０】
例えば、無線電話端末から電話制御装置の外線回線を利用して外線発信する場合、無線電話端末での利用者操作に応じて、所定の制御メッセージを電話制御装置へ送信するものとなる。この際、無線電話端末から電話制御装置へ送信する制御メッセージには、当該制御メッセージが外線発信を要求するメッセージであること、自端末の電話番号、発信先の電話番号など、各種のデータを格納する必要がある。このため、電話制御装置で用いる制御メッセージの内部構成にあわせて、無線電話端末で制御メッセージを生成して送信する必要がある。
【００７１】
したがって、市販されている一般的な携帯電話端末などの無線電話端末が持つ標準的な機能では、電話システム独自の制御メッセージに基づいて、電話制御装置へアクセスすることができず、また電話制御装置からの制御メッセージに基づいて、無線電話端末の動作を制御することができない。
【００７２】
このような場合には、電話システム独自の制御メッセージに基づいて無線電話端末を動作させるための機能を無線電話端末に追加する必要があり、具体的には電話システムと接続するための特別なプログラムを作成して、予め無線電話端末にインストールする必要があった。また、携帯電話サービス提供者ごとに、それぞれの携帯電話端末で実行可能なプログラム言語が異なることから、これら言語ごとにプログラムを作成する必要があった。このため、一般的な市販の無線電話端末から電話システムの電話サービスを容易に利用することができないという問題点があった。
【００７３】
本願発明によれば、電話サービスを利用する際の操作に用いるＷｅｂ画面が電話制御装置１０から無線電話端末２０へ配信されるため、ブラウザ機能を搭載した、一般的な市販の無線電話端末２０から電話システム１の電話サービスを容易に利用することができる。また、ブラウザ機能は、ＨＴＴＰやＨＴＭＬなどの規格に準拠するものであり、各携帯電話サービス提供者の携帯電話端末に搭載されているいずれのブラウザ機能も、互いに共通した機能を備えている。
【００７４】
これにより、無線電話端末２０に特別なアプリケーションをインストールする必要がなくなり、無線電話端末２０の利用者が負担するインストール作業を省くことができる。また、特別なアプリケーションの開発にかかるコストを省くことができ、携帯電話サービス提供者ごとに、異なる言語でプログラムを作成する必要もなくなる。したがって、電話サービスの運用コストを大幅に削減することが可能となる。
【００７５】
また、無線電話端末２０におけるＷｅｂ画面上での発信操作に応じて、電話制御装置１０に対して、携帯網５０を介したＨＴＴＰなどのデータ通信により発信通知を通知することができる。このため、電子メールなど蓄積型のデータ通信で応答通知を通知する場合と比較して、端末通話路形成のための電話発信に遅れることなく、迅速に発信通知を通知することができる。したがって、無線電話端末２０の利用者が、Ｗｅｂ画面上で発信ボタンを操作するという簡素な操作で、極めてスムーズに電話サービスを利用することができる。
【００７６】
また、本実施の形態では、電話制御装置１０において、無線電話端末２０ごとに、当該無線電話端末２０の端末識別情報および携帯電話番号が登録された無線端末情報を記憶部１８で記憶しておき、呼制御部１７で、中継接続を行う際、発信通知確認部１５による発信先情報の取得と、接続要求確認部１６による通話路接続要求の確認とが一定時間内に行われた場合であって、かつ、記憶部１８の無線端末情報に基づいて、無線電話端末２０からの発信通知に含まれる端末識別情報と、携帯網５０からの着信時に通知された発信元電話番号とが同一の無線電話端末２０のものであることが確認された場合に、相手電話端末に対する電話発信を行うものとなっている。
【００７７】
これにより、電話制御装置１０において、同一の無線電話端末２０からの発信通知と着信とを正確に識別することができる。したがって、複数の無線電話端末２０から同時期にそれぞれの発信通知が届いた場合や、携帯網５０からの端末着信が同時期に複数発生した場合でも、発信通知で通知された発信先情報に基づき形成した発信手先通話路と、端末着信に応答して形成した端末通話路とを、正確に中継接続することができる。
【００７８】
［第２の実施の形態］
次に、本発明の第２の実施の形態にかかる電話システム１の電話制御装置１０について説明する。
第１の実施の形態では、無線電話端末２０から電話制御装置１０に対して、相手電話端末３０の発信先情報を通知する際、携帯網５０のデータ通信サービスを用いる場合を例として説明した。本実施の形態では、携帯網５０のデータ通信サービスに代えて、無線電話端末２０での電話発信時に、無線電話端末２０から携帯網５０へ送信された発信要求メッセージに付加されるパラメータ（付加情報）を利用して発信先情報を通知する場合について説明する。
【００７９】
本実施の形態において、電話制御装置１０の発信通知確認部１５は、無線電話端末２０からの発信通知に代えて、無線電話端末２０での電話発信時に、無線電話端末２０から携帯網５０へ送信された発信要求メッセージに、サブアドレスなどのパラメータとして付加された発信先情報を、携帯網５０から通知された着信通知メッセージから取得する機能を有している。
電話制御装置１０におけるその他の構成については、第１の実施の形態と同様であり、ここでの詳細な説明は省略する。
【００８０】
［第２の実施の形態の動作］
次に、図６を参照して、本実施の形態にかかる電話制御装置１０の動作について説明する。図６は、第２の実施の形態にかかる電話制御装置の発信処理動作を示すシーケンス図であり、前述の図５と同じまたは同等部分には同一符号を付してある。
ここでは、電話システム１が提供する電話サービスのうちの外線発信機能を利用して、無線電話端末２０が電話制御装置１０を介して相手電話端末３０へ発信して音声通話を行う場合を例として説明する。なお、ステップ１２０までの動作およびステップ１３０以降の動作については図５と同様であり、ここでの説明は省略する。
【００８１】
利用者の操作により、ダイヤル発信画面上で発信操作が行われた場合（ステップ１２０）、操作入力部２４による発信操作の検出に応じて、ブラウザ部２６は、携帯網５０を介したＨＴＴＰデータ通信により電話制御装置１０へ、記憶部２７から読み出した自端末の端末ＩＤを含む発信通知メッセージを送信する（ステップ２００）。
電話制御装置１０の発信通知確認部１５は、網Ｉ／Ｆ部１１を介して受信した無線電話端末２０からの発信通知メッセージに応じて、このメッセージに含まれる端末ＩＤに基づき発信元となる無線電話端末２０を確認する（ステップ２０１）。
【００８２】
一方、無線電話端末２０のブラウザ部２６は、操作入力部２４による発信操作の検出に応じて、制御部２５へ電話制御装置１０への発信を要求する（ステップ２０２）。この際、ブラウザ部２６は、発信要求メッセージに付加するパラメータとして、ダイヤル発信画面上で入力された相手電話番号からなる発信先情報を指定する。
【００８３】
これに応じて、制御部２５は、無線Ｉ／Ｆ部２１から携帯網５０へ、電話制御装置１０の電話番号からなる発信先電話番号、および自端末の携帯電話番号からなる発信元電話番号と、ブラウザ部２６から指定された発信先情報とを含む発信要求メッセージを送信する（ステップ２０３）。
携帯網５０は、無線電話端末２０からの発信要求メッセージに応じて、このメッセージで指定された発信先電話番号と対応する電話制御装置１０へ、着信通知メッセージを送信する（ステップ２０４）。
【００８４】
電話制御装置１０の接続要求確認部１６は、携帯網５０からの着信通知メッセージに応じて、当該メッセージで指定された発信元電話番号を取得することにより、無線電話端末２０からの通話路接続要求があったことを確認する（ステップ２０５）。この際、電話制御装置１０は、この着信通知メッセージに対して直ちに応答メッセージを送信せず、着信状態を維持する。また、発信通知確認部１５は、当該メッセージに含まれる発信先情報を取得することにより発信先を確認する（ステップ２０６）。
【００８５】
電話制御装置１０の呼制御部１７は、このようにして、一定時間内に、発信通知確認部１５により発信先情報を取得するとともに、接続要求確認部１６により無線電話端末２０からの通話路接続要求を確認した場合、網Ｉ／Ｆ部１１から発信先情報と対する相手電話端末３０に対して電話網４０から電話発信を行う（ステップ１３０）。
【００８６】
この際、呼制御部１７は、記憶部１８の無線端末情報に基づいて、ステップ２０１で確認した端末ＩＤと、ステップ２０４で確認した発信元電話番号とを比較し、これら端末ＩＤおよび発信元電話番号が同一の無線電話端末２０のものであることが確認された場合に、相手電話端末３０に対する電話発信を行う。なお、これら端末ＩＤおよび発信元電話番号が同一の無線電話端末２０のものであることが確認できなかった場合には、他の無線電話端末からのものと判定し、相手電話端末３０に対する電話発信は行わない。
【００８７】
［第２の実施の形態の効果］
このように、本実施の形態は、電話制御装置１０の発信通知確認部１５で、発信先情報を取得する際、無線電話端末２０からの発信通知に代えて、無線電話端末２０での電話発信時に、無線電話端末２０から携帯網５０へ送信された発信要求メッセージにパラメータとして付加された発信先情報を、端末着信時に携帯網５０から通知された着信通知メッセージから取得するようにしたので、ＨＴＴＰなどのデータ通信に代えて、無線電話端末２０から電話制御装置１０へ発信先情報を通知することができる。
【００８８】
［第３の実施の形態］
次に、本発明の第３の実施の形態にかかる電話システム１の電話制御装置１０について説明する。
第１の実施の形態では、無線電話端末２０から電話制御装置１０に対して、相手電話端末３０の発信先情報を通知する際、携帯網５０のデータ通信サービスを用いる場合を例として説明した。本実施の形態では、電話制御装置１０から無線電話端末２０との間で形成した端末通話路を介して、無線電話端末２０から送信されたＤＴＭＦ信号から発信先情報を取得する場合について説明する。
【００８９】
本実施の形態において、電話制御装置１０の呼制御部１７は、無線電話端末２０からの端末着信に応答して当該無線電話端末２０との間の端末通話路を形成する機能を有している。
また、発信通知確認部１５は、発信先情報を取得する際、発信通知に代えて、端末通話路を介して無線電話端末２０から受信したＤＴＭＦ信号から発信先情報を取得する機能を有している。
電話制御装置１０におけるその他の構成については、第１の実施の形態と同様であり、ここでの詳細な説明は省略する。
【００９０】
［第３の実施の形態の動作］
次に、図７を参照して、本実施の形態にかかる電話制御装置１０の動作について説明する。図７は、第３の実施の形態にかかる電話制御装置の発信処理動作を示すシーケンス図であり、前述の図５と同じまたは同等部分には同一符号を付してある。
ここでは、電話システム１が提供する電話サービスのうちの外線発信機能を利用して、無線電話端末２０が電話制御装置１０を介して相手電話端末３０へ発信する場合を例として説明する。なお、ステップ１２０までの動作およびステップ１３０以降の動作については図５と同様であり、ここでの説明は省略する。
【００９１】
利用者の操作により、ダイヤル発信画面上で発信操作が行われた場合（ステップ１２０）、操作入力部２４による発信操作の検出に応じて、ブラウザ部２６は、携帯網５０を介したＨＴＴＰデータ通信により、記憶部２７から読み出した自端末の端末ＩＤを含む発信通知メッセージを送信する（ステップ３００）。
電話制御装置１０の発信通知確認部１５は、網Ｉ／Ｆ部１１を介して受信した無線電話端末２０からの発信通知メッセージに応じて、このメッセージに含まれる端末ＩＤに基づき発信元となる無線電話端末２０を確認する（ステップ３０１）。
【００９２】
一方、無線電話端末２０のブラウザ部２６は、操作入力部２４による発信操作の検出に応じて、制御部２５へ電話制御装置１０への発信を要求する（ステップ３０２）。
これに応じて、制御部２５は、無線Ｉ／Ｆ部２１から携帯網５０へ、電話制御装置１０の電話番号からなる発信先電話番号と自端末の携帯電話番号からなる発信元電話番号とを含む発信要求メッセージを送信する（ステップ３０３）。
【００９３】
携帯網５０は、無線電話端末２０からの発信要求メッセージに応じて、当該メッセージで指定された発信先電話番号と対応する電話制御装置１０へ、着信通知メッセージを送信する（ステップ３０４）。
電話制御装置１０の接続要求確認部１６は、携帯網５０からの着信通知メッセージに応じて、当該メッセージで指定された発信元電話番号を取得することにより、無線電話端末２０からの通話路接続要求があったことを確認する（ステップ３０５）。
【００９４】
ここで、呼制御部１７は、この着信通知メッセージに対して直ちに応答メッセージを送信することにより応答して、当該無線電話端末２０との間の端末通話路を形成する（ステップ３１０）。
これに応じて、無線電話端末２０の制御部２５は、電話制御装置１０との間で携帯網５０を介した端末通話路を形成し、ブラウザ部２６から指定された発信先電話番号からなる発信先情報を、音声処理部２２からＤＴＭＦ信号により送信する（ステップ３１１）。
【００９５】
電話制御装置１０の発信通知確認部１５は、無線電話端末２０との間で形成した端末通話路を介して、無線電話端末２０から送信されたＤＴＭＦ信号から発信先情報を取得することにより発信先を確認する（ステップ３１２）。
【００９６】
電話制御装置１０の呼制御部１７は、このようにして、一定時間内に、発信通知確認部１５により発信先情報を取得するとともに、接続要求確認部１６により無線電話端末２０からの通話路接続要求を確認した場合、網Ｉ／Ｆ部１１から発信先情報と対する相手電話端末３０に対して電話網４０から電話発信を行う（ステップ１３０）。
【００９７】
この際、呼制御部１７は、記憶部１８の無線端末情報に基づいて、ステップ３０１で確認した端末ＩＤと、ステップ３０４で確認した発信元電話番号とが同一の無線電話端末２０のものであることが確認された場合に、相手電話端末３０に対する電話発信を行う。なお、これら端末ＩＤおよび発信元電話番号が同一の無線電話端末２０のものであることが確認できなかった場合には、他の無線電話端末からのものと判定し、相手電話端末３０に対する電話発信は行わない。
【００９８】
［第３の実施の形態の効果］
このように、本実施の形態は、電話制御装置１０の呼制御部１７で、無線電話端末２０からの着信に応答して当該無線電話端末２０との間の端末通話路を形成し、発信通知確認部１５で、発信先情報を取得する際、発信通知に代えて、端末通話路を介して無線電話端末２０から受信したＤＴＭＦ信号から発信先情報を取得するようにしたので、ＨＴＴＰなどのデータ通信や、携帯網５０の呼制御メッセージのパラメータに代えて、無線電話端末２０から電話制御装置１０へＤＴＭＦ信号で発信先情報を通知することができる。
【００９９】
［第４の実施の形態］
次に、本発明の第４の実施の形態にかかる電話システム１の電話制御装置１０について説明する。
第１の実施の形態では、無線電話端末２０から電話制御装置１０への電話発信により、端末通話路を形成する場合を例として説明した。本実施の形態では、電話制御装置１０から無線電話端末２０への電話発信により、端末通話路を形成する場合を例として説明する。
【０１００】
本実施の形態において、電話制御装置１０の接続要求確認部１６は、無線電話端末２０からの着信に代えて、発信通知に付加されている無線電話端末２０の端末識別情報により通話路接続要求を確認する機能を有している。
呼制御部１７は、中継接続を行う際、無線電話端末２０からの着信への応答により形成される端末通話路に代えて、発信通知に含まれる端末識別情報で特定された無線電話端末２０へ電話発信して形成した端末通話路を相手通話路と中継接続する機能を有している。
電話制御装置１０におけるその他の構成については、第１の実施の形態と同様であり、ここでの詳細な説明は省略する。
【０１０１】
［第４の実施の形態の動作］
次に、図８を参照して、本実施の形態にかかる電話制御装置１０の動作について説明する。図８は、第４の実施の形態にかかる電話制御装置の発信処理動作を示すシーケンス図であり、前述の図５と同じまたは同等部分には同一符号を付してある。
ここでは、電話システム１が提供する電話サービスのうちの外線発信機能を利用して、無線電話端末２０が電話制御装置１０を介して相手電話端末３０へ発信する場合を例として説明する。なお、ステップ１２０までの動作については図５と同様であり、ここでの説明は省略する。
【０１０２】
利用者の操作により、ダイヤル発信画面上で発信操作が行われた場合（ステップ１２０）、操作入力部２４による発信操作の検出に応じて、ブラウザ部２６は、携帯網５０を介したＨＴＴＰデータ通信により電話制御装置１０へ、ダイヤル発信画面で入力された相手先電話番号からなる発信先情報と、記憶部２７から読み出した自端末の端末ＩＤとを含む発信通知メッセージを送信する（ステップ４００）。
【０１０３】
電話制御装置１０の発信通知確認部１５は、網Ｉ／Ｆ部１１を介して受信した無線電話端末２０からの発信通知メッセージに応じて、このメッセージに含まれる端末ＩＤに基づき発信元となる無線電話端末２０を確認するとともに（ステップ４０１）、当該メッセージに含まれる発信先情報を取得することにより発信先を確認する（ステップ４０２）。
【０１０４】
また、接続要求確認部１６は、発信通知メッセージに付加されている無線電話端末２０の端末ＩＤに基づき通話路接続要求があったことを確認する（ステップ４０３）。この際、接続要求確認部１６は、前述の図４に示した無線端末情報に基づいて、無線電話端末２０の端末ＩＤから無線電話端末２０の携帯電話番号を取得する。なお、発信通知メッセージにより無線電話端末２０が自端末の携帯電話番号を端末識別情報として通知し、接続要求確認部１６で、この携帯電話番号に基づき通話路接続要求があったことを確認するようにしてもよい。
【０１０５】
この後、配信部１４は、記憶部１８から発信中画面を読み出して（ステップ４０４）、網Ｉ／Ｆ部１１から携帯網５０を介したＨＴＴＰデータ通信により、無線電話端末２０へ配信する（ステップ４０５）。
無線電話端末２０のブラウザ部２６は、無線Ｉ／Ｆ部２１を介して受信した電話制御装置１０からの発信中画面を画面表示部２３で表示する（ステップ４０６）。これにより、利用者に対して発信中であることが報知される。
図９は、発信中画面の構成例である。ここでは、発信中の状態であることを表示するためのシンボル、発信相手名や発信先電話番号などの発信先情報、さらには発信を中止するための中止ボタンのシンボルなどが配置されている。
【０１０６】
また、呼制御部１７は、このようにして、発信通知メッセージに基づいて、発信通知確認部１５により発信先情報を取得するとともに、接続要求確認部１６により無線電話端末２０からの通話路接続要求を確認した場合、接続要求確認部１６で取得した携帯電話番号に基づいて、網Ｉ／Ｆ部１１から無線電話端末２０に対して携帯網５０から電話発信することにより、コールバックを行う（ステップ４１０）。
無線電話端末２０の制御部２５は、電話制御装置１０からのコールバックに自動応答する（ステップ４１１）。これにより、端末通話路が形成される。
【０１０７】
また、呼制御部１７は、無線電話端末２０へのコールバックと並行して、発信通知確認部１５で取得した発信先情報と対する相手電話端末３０に対して電話網４０から電話発信を行う（ステップ４２０）。
この際、ステップ４０３で確認した発信元電話番号は、端末ＩＤと同一の発信通知メッセージから確認したものであるから、呼制御部１７において、端末ＩＤと当該発信元電話番号とが同一の無線電話端末２０のものであることを確認する必要はない。
【０１０８】
この後、電話制御装置１０による相手電話端末３０に対する電話発信に応じて、電話網４０から相手電話端末３０へ着信が通知され、相手電話端末３０での応答操作に応じて（ステップ４２１）、電話網４０から電話制御装置１０に対して応答が通知される（ステップ４２２）。
【０１０９】
電話制御装置１０の呼制御部１７は、電話網４０からの応答通知に応じて、網Ｉ／Ｆ部１１から携帯網５０へ応答メッセージを送信することにより、携帯網５０を介した無線電話端末２０との端末通話路を形成し、この端末通話路と電話網４０を介した相手電話端末３０との相手通話路とを、スイッチ部１３で中継接続する（ステップ４２３）。
これにより、電話制御装置１０を介して、無線電話端末２０と相手電話端末３０との音声通話が開始される（ステップ４２４）。
【０１１０】
［第４の実施の形態の効果］
このように、本実施の形態は、電話制御装置１０の接続要求確認部１６で、通話路接続要求を確認する際、無線電話端末２０からの端末着信に代えて、発信通知に含まれる無線電話端末２０の端末識別情報により通話路接続要求を確認し、呼制御部１７で、中継接続を行う際、無線電話端末２０からの着信への応答により形成される端末通話路に代えて、発信通知に含まれる端末識別情報で特定される無線電話端末２０へ携帯網５０で電話発信して形成した端末通話路を、相手通話路と中継接続するようにしたので、無線電話端末２０からの電話発信することなく、端末通話路を形成することができる。
【０１１１】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、矛盾しない範囲で、各実施形態を組み合わせて実施することができる。
【０１１２】
以上の各実施の形態では、無線電話端末２０からの要求に応じて、電話制御装置１０から相手電話端末３０へ電話発信する場合について説明したが、図１０に示すように、無線電話端末２０から携帯網５０を介して相手電話端末３０へ、直接、電話発信するようにしてもよい。図１０は、無線電話端末の発信処理動作を示すシーケンス図である。
【０１１３】
利用者の操作により、ダイヤル発信画面上で相手電話番号が入力されて発信操作が行われた場合（ステップ１２０）、無線電話端末２０のブラウザ部２６は、操作入力部２４による発信操作の検出に応じて、制御部２５へ相手電話端末３０への発信を要求する（ステップ５００）。
【０１１４】
これに応じて、制御部２５は、無線Ｉ／Ｆ部２１から携帯網５０へ、相手電話端末３０の電話番号からなる発信先電話番号と自端末の携帯電話番号からなる発信元電話番号とを含む発信要求メッセージを送信する（ステップ５０１）。
これにより、携帯網５０から相手電話端末３０に対して着信通知メッセージが送信され（ステップ５０２）、相手電話端末３０での応答に応じて、無線電話端末２０と相手電話端末３０と間で音声通話が開始される。
【０１１５】
一方、ブラウザ部２６は、操作入力部２４による発信操作の検出に応じて、携帯網５０を介したＨＴＴＰデータ通信により、電話制御装置１０へ相手先電話番号からなる発信先情報と、記憶部２７から読み出した自端末の端末ＩＤとを含む発信通知メッセージを送信する（ステップ５１０）。
【０１１６】
電話制御装置１０の発信通知確認部１５は、網Ｉ／Ｆ部１１を介して受信した無線電話端末２０からの発信通知メッセージに応じて、当該メッセージに含まれる端末ＩＤに基づき発信元となる無線電話端末２０を確認するとともに（ステップ５１１）、当該メッセージに含まれる発信先情報を取得することにより発信先を確認する（ステップ５１２）。この後、呼制御部１７は、これら発信元情報と発信先情報とを組として、記憶部１８の発信履歴情報に登録する（ステップ５１３）。
【０１１７】
これにより、相手電話端末３０での応答に応じて、電話制御装置１０での中継接続を必要とすることなく、無線電話端末２０と相手電話端末３０との音声通話が実現される。また、この音声通話に関する発信履歴が記憶部１８に記憶されるため、再発信時などの動作に再利用できる。
【符号の説明】
【０１１８】
１…電話システム、１０…電話制御装置、１１…網Ｉ／Ｆ部、１２…内線Ｉ／Ｆ部、１３…スイッチ部、１４…配信部、１５…発信通知確認部、１６…接続要求確認部、１７…呼制御部、１８…記憶部、１９…内線電話端末、２０…無線電話端末、２１…無線Ｉ／Ｆ部、２２…音声処理部、２３…画面表示部、２４…操作入力部、２５…制御部、２６…ブラウザ部、２７…記憶部、３０…相手電話端末、４０…電話網、５０…携帯網、Ｌ０…内線回線、Ｌ１…電話回線、Ｌ２，Ｌ３…無線回線。
【図１】
0005617738.tif 000002
【図２】
0005617738.tif 000003
【図３】
0005617738.tif 000004
【図４】
0005617738.tif 000005
【図５】
0005617738.tif 000006
【図６】
0005617738.tif 000007
【図７】
0005617738.tif 000008
【図８】
0005617738.tif 000009
【図９】
0005617738.tif 000010
【図１０】
0005617738.tif 000011